(57)【要約】【課題】ミストノズル６から水を霧状に噴霧して、温暖多湿なサウナ空間にするサウナ装置に関し、吹き出し口にルーバーａ９を設置し、サウナ運転開始時に循環空気の吹き出し方向を可変させる。【解決手段】ルーバーａ９を可変させることで、循環空気をサウナ空間内の様々な場所に送風して湿度及び温度を上昇させることで、より短時間に少ないエネルギーで効率的に予熱攪拌運転を行うとともに、人体検知手段２３を用いて使用者の入室を検知することで、使用者に冷風感を感じさせにくい制御を行うサウナ装置である。【選択図】図１
2009089937.tif 000002
【特許請求の範囲】
【請求項１】
浴室内の空気を循環する循環手段と、前記循環手段により生成される循環空気を加熱する加熱手段と、前記循環手段の風路に設けたミスト生成手段と、循環空気を吹き出す吹出口と、前記循環空気の吹き出し方向を可変できる風向変更手段１と、前記循環手段と前記加熱手段と前記ミスト生成手段と前記風向変更手段１を制御する制御手段とを備えたサウナ装置であって、運転開始時において、循環空気の吹き出し方向を可変し、前記循環手段と前記加熱手段を用いて前記浴室内を予熱攪拌させた後、前記ミスト生成手段によるミスト生成を行い、前記浴室内を人体が発汗する温度に制御することを特徴とするサウナ装置。
【請求項２】
浴室内の温度を計測する温度計測手段を備え、運転開始時において、前記温度計測手段による温度が閾値以上になった時、ミスト生成手段によるミスト生成を行うことを特徴とする請求項１に記載のサウナ装置。
【請求項３】
運転開始時において、循環空気の吹き出し方向を浴室内の温度が低い箇所に向けて可変させることを特徴とする請求項２に記載のサウナ装置。
【請求項４】
循環空気の吹き出し方向を第１の角度から第２の角度の領域でスイングすることを特徴とする請求項３に記載のサウナ装置。
【請求項５】
循環空気の吹き出し方向を第１の角度から第２の角度の領域で角速度を変化してスイングすることを特徴とする請求項４に記載のサウナ装置。
【請求項６】
吹出口から吹き出される循環空気を垂直方向に偏向させる風向変更手段２を備え、運転開始時において、前記風向変更手段２により、循環空気の吹き出し方向を前記浴室内の温度が低い箇所に向けて可変させることを特徴とする請求項３〜５のいずれかに記載のサウナ装置。
【請求項７】
循環空気の吹き出し方向を第１の角度から第２の角度の領域でスイングすることを特徴とする請求項６に記載のサウナ装置。
【請求項８】
吹出口から吹き出される循環空気を垂直方向に偏向させる風向変更手段２を備え、循環空気の吹き出し方向を第１の角度から第２の角度の領域で角速度を変化してスイングすることを特徴とする請求項７に記載のサウナ装置。
【請求項９】
人検知手段を備えたことを特徴とする請求項２〜８のいずれかに記載のサウナ装置。
【請求項１０】
人体位置検出手段より人体の位置を検出し、循環空気の吹き出し方向を入浴者が循環空気の影響を受けない角度に可変することを特徴とする請求項９に記載のサウナ装置。
【請求項１１】
人体位置検出手段より人体の位置を検出し、循環空気の吹き出し方向を入浴者が循環空気の影響を受けない領域でスイングすることを特徴とする請求項１０に記載のサウナ装置。
【請求項１２】
人体位置検出手段より人体の位置を検出し、循環空気の吹き出し方向を入浴者が循環空気の影響を受けない領域で角速度を変化してスイングすることを特徴とする請求項１０に記載のサウナ装置。
【請求項１３】
人体位置検出手段より人体の位置を検出し、循環手段を入浴者が循環空気の影響を受けない風速に制御することを特徴とする請求項９に記載のサウナ装置。
【発明の詳細な説明】
【技術分野】
【０００１】
本発明は、浴室内を温暖多湿なサウナ空間にするサウナ装置に関する。
【背景技術】
【０００２】
従来、この種のサウナ装置の例として、特許文献１の方法が知られている（例えば特許文献１参照）。特許文献１に示すものは、サウナ装置等において、サウナ室内を温暖多湿な環境にして、発汗を促進するものである。
【特許文献１】特開平０５−３１７３７７号公報
【発明の開示】
【発明が解決しようとする課題】
【０００３】
温暖多湿の空気をサウナ室に充満させることでサウナ状態にするミスト式のサウナ装置が家庭でも使われるようになってきている。
【０００４】
一般住宅にミスト式のサウナ装置を設置する場合、浴室の天面または壁面などを利用してサウナ装置を取り付ける。サウナ装置から、ノズルから温水や水を噴霧してできた霧と加熱した空気とを吹き出させ、浴室内をサウナ環境として使用するが、浴室空間の温度を４０〜５０℃、湿度を８０〜１００％の温暖多湿なサウナ環境にするには、熱エネルギーを効率的に用いて予熱攪拌することと、より短時間で予熱攪拌運転を完了させることが必要となる。
【０００５】
サウナ装置は、浴室中の循環空気に熱源からの熱を加えると共に、温水や水を霧状したものを循環空気に混ぜ合わせ、浴室空間中に吹き出して温度及び湿度を上昇させる。このとき浴室空間中の温度及び湿度は、位置によってムラがある。加熱された循環空気は天井付近に滞留し、特に床面付近へは、十分に加熱された循環空気が到達しない場合に、使用者が入室しても天井付近は加熱されているものの、床面付近の温度が低いという状況が発生する。サウナ装置から吹き出された加熱循環空気を浴室内を満遍なく加熱し、使用者の快適性を向上させる必要がある。
【０００６】
また、浴室内が十分に攪拌されていない状態では、使用者が浴室内へ脱衣状態で入室すると、十分な温湿度の上昇と攪拌がなされていない場合は、冷風感を感じることがある浴室内の温度が十分に上昇していない場合は、使用者に循環空気が当たらないような制御を行うことが望ましい。
【０００７】
次に予熱攪拌運転時間について説明する。浴室中の空気全てを上記の温湿度まで上昇させるために、例えば温水や電気式ヒーターによる熱エネルギーが使用される。使用者の使い勝手を向上させるために、より素早く浴室内を加熱、加湿したいという要望と相反して、一般住宅で使用できる熱源には制限があり、温度上昇の時間を短縮することが必要となる。またこの予熱攪拌運転中は、使用者が浴室内にいないため、サウナ環境を作るためだけにエネルギーを使用している。ランニングコストの面から見て、より少ないエネルギーで効率的な予熱攪拌運転を行う必要がある。
【０００８】
最後に使用者の使い勝手について説明する。特許文献１の従来技術では、サウナ室内に温風とミストを吹出しサウナ室内を温暖多湿な環境にしているが、単に、サウナ室内に吹き出すのみであり、サウナの立ち上がり時を含めて、サウナの立ち上がり時には特に、サウナ室内が温湿度のムラができ、強い冷風感を感じることがあるため、サウナ室内が温湿度のムラがなく、発汗する程の温湿度環境にするには立ち上がりに時間がかかり、使用者が使用したい時にすみやかにサウナを利用できないという課題があった。サウナ室内が温湿度のムラがなく、発汗する程の温湿度環境にするのに長い時間がかかると、サウナ運転の開始操作から使用者がサウナを利用するまでに時間がかかってしまい、結果的に使用者が使用したい時にすみやかにサウナを利用できないため、使い勝手に問題がある。更に、サウナ室内が温湿度のムラがなく、発汗する程の温湿度環境になるのを待ちきれずに、それ以前に浴室内へ入室してしまうと、強い冷風感を感じることがあるため、より短時間でサウナ環境を作る必要がある。
【０００９】
以上の課題より、サウナ装置において、予熱攪拌運転時間を短縮させると共に、省エネルギーで経済的な予熱攪拌運転を行い、更に浴室内へ入室した使用者には冷風感を感じさせない制御を行うことを目的としている。
【課題を解決するための手段】
【００１０】
本発明のサウナ装置は上記目的を達成するために、浴室内の空気を循環する循環手段と、前記循環手段により生成される循環空気を加熱する加熱手段と、前記循環手段の風路に設けたミスト生成手段と、循環空気を吹き出す吹出口と、循環空気の吹き出し方向を可変できる風向変更手段１と、前記循環手段と前記加熱手段と前記ミスト生成手段と前記風向変更手段１を制御する制御手段とを備えたサウナ装置であって、運転開始時において、前記制御手段は前記風向変更手段１により循環空気の吹き出し方向を可変し、前記循環手段と前記加熱手段を用いて前記浴室内を予熱攪拌させた後、前記ミスト生成手段によるミスト生成を行い、前記浴室内を人体が発汗する温度に制御することを特徴とする。
【００１１】
この手段により、常温常湿の空気を効率よく対流させ、より素早くサウナ環境を作り出す効果が得られる。
【００１２】
また、他の手段は、浴室内の温度を計測する温度計測手段を備え、運転開始時において、前記温度計測手段による温度が閾値以上になった時、前記ミスト生成手段によるミスト生成を行うことを特徴とする。
【００１３】
この手段により、運転開始時の雰囲気温度が低い場合であっても、サウナ環境に適した温度まで上昇させることができる効果が得られる。
【００１４】
また、他の手段は、運転開始時において、循環空気の吹き出し方向を前記浴室内の温度が低い箇所に向けて可変させることを特徴とする。
【００１５】
この手段により、浴室内で温度が低い箇所を集中的に加熱する効果が得られる。
【００１６】
また、他の手段は、循環空気の吹き出し方向を第１の角度から第２の角度の領域でスイングすることを特徴とする。
【００１７】
この手段により、浴室内で温度が上昇し難い領域を優先的に加熱する。
【００１８】
また、他の手段は、循環空気の吹き出し方向を第１の角度から第２の角度の領域で角速度を変化してスイングすることを特徴とする。
【００１９】
この手段により、浴室内で領域ごとの温度の上昇し難さを考慮した加熱を行う効果が得られる。
【００２０】
また、他の手段は、前記吹き出し口から吹き出される前記循環空気を垂直方向に偏向させる風向変更手段２を備え、運転開始時において、前記風向変更手段２を、循環空気の吹き出し方向を前記浴室内の温度が低い箇所に向けて可変させることを特徴とする。
【００２１】
この手段により、浴室内で温度が低い箇所を集中的に加熱する効果が得られる。
【００２２】
また、他の手段は、循環空気の吹き出し方向を第１の角度から第２の角度の領域でスイングすることを特徴とする。
【００２３】
この手段により、浴室内で温度が上昇し難い領域を優先的に加熱する効果が得られる。
【００２４】
また、他の手段は、前記吹き出し口から吹き出される前記循環空気を垂直方向に偏向させる風向変更手段２を備え、循環空気の吹き出し方向を第１の角度から第２の角度の領域で角速度を変化してスイングすることを特徴とする。
【００２５】
この手段により、浴室内で領域ごとの温度の上昇し難さを考慮した加熱を行う効果が得られる。
【００２６】
また、他の手段は、人検知手段を備えたことを特徴とする。
【００２７】
この手段により、使用者に冷風感を感じさせにくくする効果が得られる。
【００２８】
また、他の手段は、前記人体位置検出手段より人体の位置を検出し、循環空気の吹き出し方向を入浴者が前記循環空気の影響を受けない角度に可変することを特徴とする。
【００２９】
この手段により、使用者に冷風感を感じさせにくくすると共に、より素早くサウナ環境を作り出す効果が得られる。
【００３０】
また、他の手段は、前記人体位置検出手段より人体の位置を検出し、循環空気の吹き出し方向を入浴者が前記循環空気の影響を受けない領域でスイングすることを特徴とする。
【００３１】
この手段により、使用者に冷風感を感じさせにくくすると共に、浴室内で温度が上昇し難い領域を優先的に加熱する効果が得られる。
【００３２】
また、他の手段は、前記人体位置検出手段より人体の位置を検出し、循環空気の吹き出し方向を入浴者が前記循環空気の影響を受けない領域で角速度を変化してスイングすることを特徴とする。
【００３３】
この手段により、使用者に冷風感を感じさせにくくすると共に、浴室内で領域ごとの温度の上昇し難さを考慮した加熱を行う効果が得られる。前記人体位置検出手段より人体の位置を検出し、前記循環手段を入浴者が前記循環空気の影響を受けない風速で制御することを特徴とする。
【００３４】
この手段により、使用者に冷風感を感じさせにくくすると共に、より素早くサウナ環境を作り出す効果が得られる。
【発明の効果】
【００３５】
本発明によれば、サウナ運転開始時において、風向変更手段を用いて浴室内を効率よく予熱攪拌させて、素早くかつ省エネルギーでサウナ環境を作り出すサウナ装置を提供できる。また、サウナに適した環境になる前に使用者が浴室内へ入室した場合であっても、使用者が冷風感を感じ難くしながらも素早くかつ省エネルギーでサウナ環境を作り出す。
【発明を実施するための最良の形態】
【００３６】
請求項１記載の発明は、浴室内の空気を循環する循環手段と、前記循環手段により生成される循環空気を加熱する加熱手段と、前記循環手段の風路に設けたミスト生成手段と、循環空気を吹き出す吹出口と、循環空気の吹き出し方向を可変できる風向変更手段１と、前記循環手段と前記加熱手段と前記ミスト生成手段と前記風向変更手段１を制御する制御手段とを備えたサウナ装置であって、運転開始時において、前記制御手段は前記風向変更手段１により循環空気の吹き出し方向を可変し、前記循環手段と前記加熱手段を用いて前記浴室内を予熱攪拌させた後、前記ミスト生成手段によるミスト生成を行い、前記浴室内を人体が発汗する温度に制御することを特徴とするサウナ装置であり、サウナ運転の運転開始時において、前記浴室内の温度を上昇させる際、前記風向変更手段により吹き出し方向を可変させることで効率的に攪拌し、前記浴室内を素早く温暖多湿のサウナ環境にするという作用を有する。
【００３７】
請求項２記載の発明は、前記浴室内の温度を計測する温度計測手段を備え、運転開始時において、前記温度計測手段による温度が閾値以上になった時、前記ミスト生成手段によるミスト生成を行うことを特徴とするサウナ装置であり、冬季などの前記浴室内が低温の際に、循環空気の温度を継続的に計測し、サウナ環境に適した温度まで上昇したことを検知することで、前記浴室内を素早く温暖多湿のサウナ環境にするという作用を有する。
【００３８】
請求項３記載の発明は、運転開始時において、循環空気の吹き出し方向を浴室内の温度が低い箇所に向けて可変させることを特徴とするサウナ装置であり、前記浴室内において、前記風向変更手段を温度が低い領域へ向けることで、温度が低い領域を集中的に加熱し、前記浴室内の温度上昇を素早く行うという作用を有する。
【００３９】
請求項４記載の発明は、循環空気の吹き出し方向を第１の角度から第２の角度の領域でスイングすることを特徴とするサウナ装置であり、前記浴室内において、循環空気の吹き出し方向を床や戸、窓などの温度が上昇し難い領域へ向けてスイングすることで、前記浴室内を効果的に攪拌し、前記浴室内の温度上昇を素早く行うという作用を有する。
【００４０】
請求項５記載の発明は、循環空気の吹き出し方向を第１の角度から第２の角度の領域で角速度を変化してスイングすることを特徴とするサウナ装置であり、前記浴室内において、循環空気の吹き出し方向を床や戸、窓などの温度が上昇し難い領域へはスイングの速度を落とし、天井付近のような温度が上昇し易い領域へはスイングの速度を上げることで、温度上昇し難い領域の加熱時間を増加させて、前記浴室内の温度上昇を素早く行うという作用を有する。
【００４１】
請求項６記載の発明は、前記吹き出し口から吹き出される循環空気を垂直方向に偏向させる風向変更手段２を備え、運転開始時において、循環空気の吹き出し方向を前記浴室内の温度が低い箇所に向けて可変させることを特徴とするサウナ装置であり、前記浴室内において、循環空気の吹き出し方向を温度が低い領域へ向けることで、温度が低い領域を集中的に加熱し、前記浴室内の温度上昇を素早く行うという作用を有する。
【００４２】
請求項７記載の発明は、循環空気の吹き出し方向を第１の角度から第２の角度の領域でスイングすることを特徴とするサウナ装置であり、浴室内において、循環空気の吹き出し方向を床や戸、窓などの温度が上昇し難い領域へ向けてスイングすることで、前記浴室内を効果的に攪拌し、前記浴室内の温度上昇を素早く行うという作用を有する。
【００４３】
請求項８記載の発明は、前記吹き出し口から吹き出される前記循環空気を、垂直方向に偏向させる風向変更手段２を備え、循環空気の吹き出し方向を第１の角度から第２の角度の領域で角速度を変化してスイングすることを特徴とするサウナ装置であり、前記浴室内において、循環空気の吹き出し方向を床や戸、窓などの温度が上昇し難い領域へはスイングの速度を落とし、天井付近のような温度が上昇し易い領域へはスイングの速度を上げることで、温度上昇し難い領域の加熱時間を増加させて、前記浴室内の温度上昇を素早く行うという作用を有する。
【００４４】
請求項９記載の発明は、人検知手段を備えたことを特徴とするサウナ装置であり、前記浴室内の温度が十分に上昇していない場合に、攪拌された前記循環空気が使用者に当たると冷風感を感じるため、前記人体位置検出手段により前記浴室内の使用者の位置を特定し、使用者を避けて加熱を行うという作用を有する。
【００４５】
請求項１０記載の発明は、人体位置検出手段より人体の位置を検出し、循環空気の吹き出し方向を入浴者が前記循環空気の影響を受けない角度に可変することを特徴とするサウナ装置であり、前記浴室内の温度が十分に上昇していない場合に、攪拌された前記循環空気が使用者に当たると冷風感を感じるため、前記人体位置検出手段により前記浴室内の使用者の位置を特定し、循環空気の吹き出し方向を前記循環空気が使用者に当たらない方向へ向けるという作用を有する。
【００４６】
請求項１１記載の発明は、人体位置検出手段より人体の位置を検出し、循環空気の吹き出し方向を入浴者が循環空気の影響を受けない領域でスイングすることを特徴とするサウナ装置であり、前記浴室内の温度が十分に上昇していない場合に、攪拌された前記循環空気が使用者に当たると冷風感を感じるため、前期人体位置検出手段により前記浴室内の使用者の位置を特定し、循環空気の吹き出し方向を使用者を避ける方向へ向けると共に、使用者がいない方向においてスイングを行うことで、前記浴室内を効果的に攪拌し、前記浴室内の温度上昇を素早く行うという作用を有する。
【００４７】
請求項１２記載の発明は、人体位置検出手段より人体の位置を検出し、循環空気の吹き出し方向を入浴者が循環空気の影響を受けない領域で角速度を変化してスイングすることを特徴とするサウナ装置であり、前記浴室内の温度が十分に上昇していない場合に、攪拌された循環空気が使用者に当たると冷風感を感じるため、前記人体位置検出手段により前記浴室内の使用者の位置を特定し、循環空気の吹き出し方向を使用者を避ける方向へ向けると共に、使用者がいない方向においてスイングを行い、特に床や戸、窓などの温度が上昇し難い領域へはスイングの速度を落とすことで、温度上昇し難い領域の加熱時間を増加させ、前記浴室内の温度上昇を素早く行うという作用を有する。
【００４８】
請求項１３記載の発明は、人体位置検出手段より人体の位置を検出し、循環手段を入浴者が循環空気の影響を受けない風速に制御することを特徴とするサウナ装置であり、前記浴室内の温度が十分に上昇していない場合に、循環空気が使用者に当たると冷風感を感じるため、前記人体位置検出手段により前記浴室内の使用者の位置を特定し、使用者のいる方向へは前記循環手段からの送風量を減少させると共に、特に床や戸、窓などの温度が上昇し難い領域へは送風量を増加させることで、温度上昇し難い領域の加熱時間を増加させ、前記浴室内の温度上昇を素早く行うという作用を有する。
【００４９】
（実施の形態１）
本発明の実施の形態１に関わる構成について説明する。図１は本発明の実施の形態１の全体構成を示す図である。
【００５０】
サウナ空間を形成する浴室などの天井１に取り付けられたサウナ本体２の内部に循環手段としての循環ファン３が設けられている。この循環ファン３が駆動されたときに、下部の浴室内の空気を循環するための循環風路４内に、加熱手段としてのヒーター５とミスト生成手段としてのミストノズル６が設けられている。このミストノズル６は、給水管７に接続され、温水や水の供給を受け、給水弁８の動作で霧状のミストを前記循環風路４内に吹き出す。循環風路４を通って循環空気が下部の浴室内へ吹き出される際、風向変更手段１としてのルーバーａ９の角度を変更することで、吹き出し方向が変更される。制御装置１０は、サウナ本体２内の冷所に設置され、前述の循環ファン３やヒーター５などを制御する。
【００５１】
図２は本発明の実施の形態１の電気系の構成を示すブロック図である。制御手段としての制御装置１０は、ＣＰＵ１１に入力として温度センサ１２が接続されると共に、運転の発停や、タイマ運転などを設定する設定部であるリモコン１３が接続され、ＣＰＵ１１の出力には電磁継電器などの駆動手段１４ａ、１４ｂ、１４ｃ、１４ｄを介して、それぞれ循環ファン３、ヒーター５、給水弁８、ルーバーａ９が接続されている。
【００５２】
前記のリモコン１３は、使用者が操作して、サウナ運転などの運転モードを選択し、運転の発停やタイマ運転を行わせるもので、スイッチやタイマ時限の表示器などから構成されるものである。このような構成において、リモコン１３で使用者がサウナ運転を選択し、運転スイッチを押すことにより、制御装置１０は循環ファン３とヒーター５と給水弁８を駆動して、浴室内の空気を加熱と加湿をしながら循環して、浴室内を温暖で多湿な状態にする。
【００５３】
この制御装置１０の詳細な動作を図１と図２を参照しながら、図３と図４を用いて説明する。図３は本発明の実施の形態１の制御装置１０の動作を示すフローチャートであり、図４は本発明の実施の形態１のサウナ運転における温度センサ１２の検知温度を示したものである。
【００５４】
まず、Ｓ（ステップ）０においてルーバーａ９を駆動し、Ｓ１において循環ファン３を駆動し、Ｓ２でヒーター５を駆動する。次にＳ４で温度センサ１２が検知する浴室内の温度が温度閾値Ｋ℃未満であればそのまま暖房運転を継続するが（Ｓ４）、温度閾値Ｋ℃以上であれば、浴室内の温度が十分上昇したことを検知して（Ｓ３）Ｓ５で給水弁８を駆動する。この状態でサウナ運転の動作が完成する（Ｓ６）。使用者の運転停止動作またはタイマーの停止処理などによりサウナ運転を停止する（Ｓ７）。
【００５５】
浴室内温度の上昇を素早く行うための、ルーバーａ９の動作と循環空気について説明する。図５に本発明の実施の形態１の浴室内の循環空気の流れを示す。サウナ本体が天井１に設置されている場合、ルーバーａ９と天井１との角度θを３段階に変化させた時、ルーバー角度１５ａ、１５ｂ、１５ｃにおける循環空気の流れである循環空気１６ａ、１６ｂ、１６ｃが発生する。ルーバー角度１５ａで壁方向に偏向された循環空気１６ａは加熱されているため、温度が高く、比較的天井１付近へと上昇し易い傾向にある。使用者が椅子などに座っていた場合、天井１付近は十分に温度が上昇しているものの、実際の使用者の位置では温度が低くなる。そこで、ルーバー角度１５ｃで床方向に循環空気を送風することで、循環空気１６ｃのように温度の低い床付近を加熱することができる。
【００５６】
また、浴室内において、循環空気による攪拌を阻害するような障害物にあたるものがあった場合、例えば、各々の浴室の形状や浴槽の形状などにより、一方向への循環空気の吹き出しでは攪拌が困難である。そのような場合であっても、循環空気の吹き出し方向を変化させることで、浴室内全体が均一の温度になることが可能である。
【００５７】
このように、加熱された循環空気を浴室内に吹き出して攪拌する際、ルーバーａ９を用いて吹き出し方向を変化することで、加熱された循環空気が浴室内の様々な場所へ吹き出される。一方向のみへ吹き出し方向を向けている場合に比べ、加熱された循環空気が浴室内を満遍なく、また効率的に循環することで、結果的に、浴室内の温度上昇を速やかに行うことが可能となる。更に、浴室内の温度ムラが解消されることで、脱衣状態で使用者が入室した場合は、温度の上昇し難い床面付近であっても、使用者がサウナに適した温度に制御することが出来る。
【００５８】
次に、ミストノズル６からの噴霧と浴室内温度分布について説明する。サウナ立ち上げ中の期間において、浴室内温度が十分に上昇していない状態で湿度を上昇させると、空気中の水分に熱を奪われてしまい、温度上昇が鈍くなるという現象が発生する。そのため、十分に浴室内温度が上昇した後に、給水弁８を駆動させて加湿を開始する。
【００５９】
また、ミストノズルより常温の止水を噴霧した場合、浴室内の温度が降下することがあり、特に、冬季などの止水の温度が著しく低い場合はこの温度降下が大きくなる。このときの温度閾値Ｋを、例えば４２℃とする。これは、水の噴霧による浴室内の温度が降下が起こった場合であっても、４２℃以上に浴室内温度を上昇させておくことで、浴室内の温度を使用者の体温より高く保つことができ、その結果、発汗温度を下回るほどの浴室温度の降下が起こらず、サウナ環境に適した浴室内温度を維持できるためである。浴室内温度を例えば、４２℃〜４８℃程度に保ち、サウナ環境を維持する。
【００６０】
（実施の形態２）
本発明の実施の形態２に関わる構成について説明する。実施の形態１と同一部分は同一符号を附し詳細な説明は省略する。図６は本発明の実施の形態２の全体構成を示す図である。図７に、本発明の実施の形態２の浴室内の循環空気の流れを示す。
【００６１】
加熱された循環空気は天井１付近など浴室の上部に滞留しやすいが、一方で床面１７周辺は温度が上昇し難い。床面１７や床面１７周辺は、使用者が直に触ったり、または座ったりする領域であるため、この領域の温度を上昇させることで、浴室全体の温度を上昇させることができる。そこで、ルーバーａ９を床面１７のできるだけ広い範囲に向けて循環空気を送風することが、効率的な温度上昇を行うために効果的である。
【００６２】
サウナ本体２が天井１に設置されている場合に、ルーバーａ９が天井１との角度θをもって変化する。天井１に設置されたサウナ本体２から見た床面１７の範囲は約６０°〜９０°である。これは、サウナ本体２が浴槽１９上部に取り付けられていることが多く、θを６０°（ルーバー角度１５ｄ）の角度とすることで、浴槽１９が設置されている反対側の左壁面１８と床面１７の境界へ（循環空気１６ｄ）、また、９０°（ルーバー角度１５ｅ）の角度とすることで、浴槽１９と床面１７の境界へ（循環空気１６ｅ）、送風を行うことが可能となる。従って、θを６０°〜９０°とし、この領域においてスイングを行うことで、床面１７及び床面１７周辺の温度を効率的に上昇することが可能となる。
【００６３】
更に床面１７の温度上昇をより効率的に行うため、角度によってスイングの速度を変化させる。運転開始時、床面１７のうち、使用者が浴室で座る中央付近の温度上昇を優先的に行うため、スイングを行う６０°〜９０°のうち、６０°付近や９０°付近と比較して、７５°付近のスイング速度を低下させる。その結果、床面１７中央部での送風時間が長くなるため、中央付近の加熱量を増加させる。図３において、浴室内の温度がＫ℃を超えた場合、中央部付近の温度上昇は十分になされたと判断し、７５°付近と比較して、６０°付近や９０°付近のスイング速度を低下させる。
【００６４】
なお、左壁面１８に沿って加熱された循環空気が床面１７まで行き渡らせるため、６０°〜９０°より更に広い領域で可変させてもよい。
【００６５】
なお、浴室の環境によって温度の上昇し難さは異なるため、環境に合わせてスイングの角度や、スイングの速度を変化させてもよい。
【００６６】
（実施の形態３）
本発明の実施の形態３に関わる構成について説明する。実施の形態１、２と同一部分は同一符号を附し詳細な説明は省略する。図８は本発明の実施の形態３の本発明の実施の形態３の全体構成を示す図である。図９に本発明の実施の形態３のルーバーａ９とルーバーｂ２０の位置関係を示す。図１０に本発明の実施の形態３のサウナ装置の取り付け位置と循環空気の送風方向を示す。
【００６７】
ルーバーａ９を６０°〜９０°（ルーバー角度１５ｆ〜ルーバー角度１５ｇ）へ向けることで、浴槽１９が設置されている反対側の左壁面１８と床面１７の境界（循環空気１６ｆ）から、浴槽１９と床面１７の境界（循環空気１６ｇ）までの領域を送風することが可能となる。ルーバーａの動作に加えて、ルーバーｂ２０は、吹き出される循環空気をルーバーａ９の一端に偏向させるため、ルーバーａ９と垂直方向へ、吹き出し方向を可変させる動作を行う。ルーバーａ９によって偏向された循環空気によって加熱される領域ａと比較して、ルーバーａ９に加えてルーバーｂ２０を併用することで、ルーバーａ９の吹き出し方向と垂直方向へ循環空気を送風し、領域ｂの範囲へ向けて加熱することが可能（図１１参照）となる。
【００６８】
領域ａと比較して、領域ｂは床のほぼ全面に渡って送風を行うことができる。そのため、例えば左壁面１８のうちの一方に温度が低い領域があった場合であっても、床全体に向けて送風を行うことで、浴室空間を効率的に素早く加熱することが可能となる。
【００６９】
なお、左壁面１８に沿って加熱された循環空気が床面１７まで行き渡らせるため、６０°〜９０°より更に広い領域で可変させてもよい。
【００７０】
なお、浴室の環境によって温度の上昇し難さは異なるため、環境に合わせて各ルーバーのスイングの角度や、スイングの速度を変化させてもよい。
【００７１】
（実施の形態４）
本発明の実施の形態４に関わる構成について説明する。実施の形態１乃至３と同一部分は同一符号を附し詳細な説明は省略する。図１２は本発明の実施の形態４の全体構成を示す図である。図１３は本発明の実施の形態４の電気系の構成を示すブロック図である。本発明のサウナ装置は、実施の形態１〜３の構成に加え、人検知手段２３を備えている。人検知手段２３は、人が検知できればよく、例えばサーモパイル型赤外線センサを用いる。
【００７２】
冬季などの浴室内温度が低い環境においてサウナ運転を行った場合、サウナ環境になるまで予熱攪拌に時間がかかることがあるが、サウナ環境になる前に、使用者２５が浴室内へ入室することが考えられる。これは例えば、サウナ運転中に入浴する際などが考えられる。この時、浴室内の温度は、サウナ環境になるまで温度が十分に上昇しておらず、温度の低い空気が浴室内で攪拌されることによって、使用者２５が冷風感を感じることがある。
【００７３】
本サウナ装置は、サウナ運転開始時において、人検知手段２３によって人検知範囲２４内への使用者２５の入室及び、浴室内に入室した使用者２５がどの位置にいるかを検知する。その位置を元に、ルーバーａ９の方向を可変させることで、使用者２５を避ける方向へ循環空気を送風する。その結果、使用者２５に冷風感を感じさせず、かつ、効率的な加熱を行うことが可能となる。
【００７４】
次に、使用者２５を避けた方向へ送風しながらスイングを行うことが考えられる。例として、使用者２５が図１２の左壁面１８ａ近くに位置する場合について説明する。人検知手段２３によって、使用者２５が浴室内のうち、左壁面１８ａ近くに位置することが検知できる。この時、ルーバーａ９の角度を９０°〜１３５°（ルーバー角度１５ｈ〜ルーバー角度１５ｉ）の範囲にすることで、使用者２５へ循環空気を当てることなく、かつ、床面１７のより広い範囲へ送風（循環空気１６ｈ〜循環空気１６ｊ）を行うことが可能である（図１４）。
【００７５】
以上の制御を行うことで、浴室内へ入室した使用者２５に冷風感を感じさせずに、素早く効率的にサウナ環境を作り出すことが可能となる。
【００７６】
なお、浴室の環境によって温度の上昇し難さは異なるため、環境に合わせて各ルーバーのスイングの角度や、スイングの速度を変化させてもよい。
【００７７】
なお、使用者が浴室から退室した場合は本制御を行わず、実施の形態１〜３の通りの予熱攪拌を用いたサウナ運転を行ってもよい。
【００７８】
（実施の形態５）
本発明の実施の形態４に関わる構成について説明する。実施の形態４と同一部分は同一符号を附し詳細な説明は省略する。図１５は本発明の実施の形態５の全体構成を示す図である。本発明のサウナ装置は、実施の形態４と同様の構成をとる。
【００７９】
実施の形態４と同様に、浴室内温度が低い状況において、サウナ運転開始時における使用者２５が冷風感を感じにくくするため、人検知手段２３によって検知した使用者２５の方向への循環空気の風速を落とす制御を行う。
【００８０】
例として、使用者２５が図１２の左壁面１８ａ近くに位置する場合について説明する。人検知手段２３によって、使用者２５が浴室内のうち、左壁面１８ａ近くに位置することが検知できる。ルーバーを４５°〜１３５°まで可変させる場合、４５°〜９０°（ルーバー角度１５ｊ〜ルーバー角度１５ｋ）までの領域へは循環空気１６ｋ〜循環空気１６ｌが送風される風速を０．３ｍ／ｓ程度に落とし、９０°〜１３５°（ルーバー角度１５ｋ〜ルーバー角度１５ｍ）までの領域へは循環空気１６ｍ〜循環空気１６ｏを温度の低い領域を加熱するのに適した６ｍ／ｓ程度での運転を行う。その結果、使用者２５に冷風感を感じさせず、かつ、効率的な加熱を行うことが可能となる。
【００８１】
以上の制御を行うことで、浴室内へ入室した使用者２５に冷風感を感じさせずに、素早く効率的にサウナ環境を作り出すことが可能となる。
【００８２】
なお、浴室の環境によって温度の上昇し難さは異なるため、環境に合わせて各ルーバーのスイングの角度や、スイングの速度を変化させてもよい。
【００８３】
なお、使用者２５が浴室から退室した場合は本制御を行わず、実施の形態１〜３の通りの予熱攪拌を用いたサウナ運転を行ってもよい。
【産業上の利用可能性】
【００８４】
本発明にかかるサウナ装置は、サウナ室内への加熱された循環空気を状況に応じた方向へ送風すると共に、使用者の冷風感を低減するサウナ装置であり、住居用のサウナ装置はもとより、業務用などの他用途でのサウナ装置などにも適用できる。
【図面の簡単な説明】
【００８５】
【図１】本発明の実施の形態１の全体構成を示す図
【図２】本発明の実施の形態１の電気系の構成を示すブロック図
【図３】本発明の実施の形態１の制御装置の動作を示すフローチャート
【図４】本発明の実施の形態１のサウナ運転における温度センサの検知温度を示す図
【図５】本発明の実施の形態１の浴室内の循環空気の流れを示す図
【図６】本発明の実施の形態２の全体構成を示す図
【図７】本発明の実施の形態２の浴室内の循環空気の流れを示す図
【図８】本発明の実施の形態３の本発明の実施の形態３の全体構成を示す図
【図９】本発明の実施の形態３のルーバーａ９とルーバーｂ２０の位置関係を示す図
【図１０】本発明の実施の形態３のサウナ装置の取り付け位置と循環空気の送風方向を示す図
【図１１】本発明の実施の形態３のサウナ装置の送風領域を示す図
【図１２】本発明の実施の形態４の全体構成を示す図
【図１３】本発明の実施の形態４の電気系の構成を示すブロック図
【図１４】本発明の実施の形態４の浴室内の循環空気の流れを示す図
【図１５】本発明の実施の形態５の全体構成を示す図
【符号の説明】
【００８６】
１    天井
２    サウナ本体
３    循環ファン
４    循環風路
５    ヒーター
６    ミストノズル
７    給水管
８    給水弁
９    ルーバーａ
１０  制御装置
１１  ＣＰＵ
１２  温度センサ
１３  リモコン
１４ａ〜ｄ  駆動手段ａ〜ｄ
１５  ルーバー角度
１５ａ〜ｍ  ルーバー角度ａ〜ｍ
１６  循環空気
１６ａ〜ｏ  循環空気ａ〜ｏ
１７  床面
１８  左壁面
１９  浴槽
２０  ルーバーｂ
２１  領域ａ
２２  領域ｂ
２３  人検知手段
２４  人検知範囲
２５  使用者
【図１】
2009089937.tif 000003
【図２】
2009089937.tif 000004
【図３】
2009089937.tif 000005
【図４】
2009089937.tif 000006
【図５】
2009089937.tif 000007
【図６】
2009089937.tif 000008
【図７】
2009089937.tif 000009
【図８】
2009089937.tif 000010
【図９】
2009089937.tif 000011
【図１０】
2009089937.tif 000012
【図１１】
2009089937.tif 000013
【図１２】
2009089937.tif 000014
【図１３】
2009089937.tif 000015
【図１４】
2009089937.tif 000016
【図１５】
2009089937.tif 000017